(57)【要約】【課題】出入口の一方の内側面に対する軸支部の上下方向への位置調整が可能でありながらも、見栄え良く固定し得る下端保持具及びこれを備えた戸装置を提供する。【解決手段】下端保持具３０は、出入口５の一方の内側面１７に設けられた受入凹所１９に嵌め込まれるように固定される平板状の固定部材３１と、戸パネル２５の下端側を回動自在に保持する軸支部４５を有した保持具本体３５と、を備えており、前記固定部材の裏面側には、前記保持具本体に設けられた係合片部３６を上下方向にスライド自在に受け入れるスライド凹所３２が設けられ、該係合片部が前記固定部材に対して上下方向に沿って位置調整可能に固定される構造とされており、前記保持具本体には、前記係合片部の下端部に設けられた屈曲部３６ｃに連なるように間口方向に突出し、前記軸支部を有した支持片部３８が設けられ、前記固定部材には、前記屈曲部を上下動自在に受け入れる切欠状凹所３２ｃが厚さ方向に貫通しかつ下方側に向けて開口するように設けられている。【選択図】図１
2018112066.tif 000002
【特許請求の範囲】
【請求項１】
出入口の一方の内側面に設けられた受入凹所に嵌め込まれるように固定される平板状の固定部材と、戸パネルの下端側を回動自在に保持する軸支部を有した保持具本体と、を備えており、
前記固定部材の裏面側には、前記保持具本体に設けられた係合片部を上下方向にスライド自在に受け入れるスライド凹所が設けられ、該係合片部が前記固定部材に対して上下方向に沿って位置調整可能に固定される構造とされており、
前記保持具本体には、前記係合片部の下端部に設けられた屈曲部に連なるように間口方向に突出し、前記軸支部を有した支持片部が設けられ、前記固定部材には、前記屈曲部を上下動自在に受け入れる切欠状凹所が厚さ方向に貫通しかつ下方側に向けて開口するように設けられていることを特徴とする下端保持具。
【請求項２】
請求項１において、
前記支持片部の見込方向に沿う寸法は、前記屈曲部の見込方向に沿う寸法よりも大とされていることを特徴とする下端保持具。
【請求項３】
請求項２において、
前記支持片部の見込方向に沿う寸法と前記固定部材の見込方向に沿う寸法とが略同寸法とされていることを特徴とする下端保持具。
【請求項４】
請求項１乃至３のいずれか１項に記載の下端保持具と、前記受入凹所が内側面に設けられた縦枠を有した戸枠と、この戸枠に建て付けられ前記下端保持具に下端側が回動自在に保持される戸パネルと、を備えていることを特徴とする戸装置。
【発明の詳細な説明】
【技術分野】
【０００１】
本発明は、折戸や開き戸等の下端側を回動自在に保持する下端保持具及びこれを備えた戸装置に関する。
【背景技術】
【０００２】
従来より、折戸や開き戸等の下端側を回動自在に保持する軸受部材等の保持具が知られている。このような保持具は、一般的には、床等にねじや釘等の止具によって固定される。しかしながら、固定対象となる床がコンクリート仕上げやタイル仕上げ、カーペット仕上げであったり、コンクリート下地上に薄型床材を貼着したような構造であった場合等には、止具によって保持具を床側に固定し難くなることが考えられる。
例えば、下記特許文献１には、入口枠の縦桟に固定される板状の取付部の下端部に、扉の下側回動軸を受ける板状の扉支持部を設けた軸受部材が開示されている。
【先行技術文献】
【特許文献】
【０００３】
【特許文献１】特開２００８−２１０３号公報
【発明の概要】
【発明が解決しようとする課題】
【０００４】
しかしながら、上記特許文献１に記載された軸受部材は、板状の取付部が縦桟の下端部の内側面に沿って固定される構成とされているため、取付部が目立ち易くなり、また、扉と取付部との接触を抑制すべく扉と縦桟の内側面との隙間が大きくなる傾向がある。例えば、縦桟に凹所を設けて取付部を埋め込むように固定することも考えられるが、この場合には、縦桟に対する取付部の位置調整が困難となることが考えられる。または、縦桟に対する取付部の位置調整が可能なように縦桟の凹所を大きくすることも考えられるが、この場合には、凹所の内面と取付部との隙間が目立ち易くなることが考えられる。
【０００５】
本発明は、上記実情に鑑みてなされたものであり、出入口の一方の内側面に対する軸支部の上下方向への位置調整が可能でありながらも、見栄え良く固定し得る下端保持具及びこれを備えた戸装置を提供することを目的とする。
【課題を解決するための手段】
【０００６】
上記目的を達成するために、本発明に係る下端保持具は、出入口の一方の内側面に設けられた受入凹所に嵌め込まれるように固定される平板状の固定部材と、戸パネルの下端側を回動自在に保持する軸支部を有した保持具本体と、を備えており、前記固定部材の裏面側には、前記保持具本体に設けられた係合片部を上下方向にスライド自在に受け入れるスライド凹所が設けられ、該係合片部が前記固定部材に対して上下方向に沿って位置調整可能に固定される構造とされており、前記保持具本体には、前記係合片部の下端部に設けられた屈曲部に連なるように間口方向に突出し、前記軸支部を有した支持片部が設けられ、前記固定部材には、前記屈曲部を上下動自在に受け入れる切欠状凹所が厚さ方向に貫通しかつ下方側に向けて開口するように設けられていることを特徴とする。
【０００７】
本発明においては、前記支持片部の見込方向に沿う寸法を、前記屈曲部の見込方向に沿う寸法よりも大としてもよい。
また、本発明においては、前記支持片部の見込方向に沿う寸法と前記固定部材の見込方向に沿う寸法とが略同寸法とされていてもよい。
また、本発明においては、前記固定部材に、当該固定部材を前記受入凹所に固定する止具が挿通される第１挿通孔と、前記保持具本体の係合片部を当該固定部材に対して固定する止具が挿通される前記一方向に長径の第２挿通孔と、を設けてもよい。
また、本発明においては、前記保持具本体を、前記係合片部の下端から間口方向に突出するように設けられた支持片部に対して間口方向に沿って位置調整可能に固定される前記軸支部を有した軸支部材を備えたものとしてもよい。
【０００８】
また、上記目的を達成するために、本発明に係る戸装置は、本発明に係る下端保持具と、前記受入凹所が内側面に設けられた縦枠を有した戸枠と、この戸枠に建て付けられ前記下端保持具に下端側が回動自在に保持される戸パネルと、を備えていることを特徴とする。
【発明の効果】
【０００９】
本発明に係る下端保持具及びこれを備えた戸装置は、上述のような構成としたことで、出入口の一方の内側面に対する軸支部の上下方向への位置調整が可能でありながらも、見栄え良く固定することができる。
【図面の簡単な説明】
【００１０】
【図１】（ａ）、（ｂ）は、いずれも本発明の一実施形態に係る下端保持具及びこれを備えた戸装置の一例を模式的に示す一部破断概略斜視図である。
【図２】（ａ）、（ｂ）は、いずれも同下端保持具を模式的に示す概略分解斜視図、（ｃ）は、同下端保持具の概略正面図である。
【図３】（ａ）、（ｂ）は、いずれも図１（ａ）におけるＸ−Ｘ線矢視に対応させた一部破断概略縦断面図である。
【図４】（ａ）は、同戸装置を施工した状態の一例を模式的に示す一部破断概略正面図、（ｂ）は、（ａ）におけるＹ−Ｙ線矢視に対応させた一部破断概略横断面図である。
【図５】（ａ）、（ｂ）は、いずれも本発明の他の実施形態に係る下端保持具の一例を模式的に示す概略分解斜視図である。
【発明を実施するための形態】
【００１１】
以下に本発明の実施の形態について、図面に基づいて説明する。
なお、一部の図では、他図に付している詳細な符号の一部を省略している。
また、以下の各実施形態では、施工された下端保持具及びこれを備えた戸装置に対して、図４（ｂ）に示すＶ方向から見た状態を基準として、見込方向手前側を前方、その逆側を後方とし、また、その状態を基準として、上下方向等の方向を説明する。
【００１２】
図１〜図４は、第１実施形態に係る下端保持具及びこれを備えた戸装置の一例を模式的に示す図である。
本実施形態に係る下端保持具３０は、図１、図２及び図４に示すように、出入口５の一方の内側面１７に設けられた受入凹所１９に嵌め込まれるように固定される平板状の固定部材３１を備えている。また、下端保持具３０は、戸パネル２５の下端側を回動自在に保持する軸支部４５を有した保持具本体３５を備えている。
【００１３】
また、本実施形態に係る戸装置１は、この下端保持具３０と、受入凹所１９が内側面１７に設けられた縦枠１６を有した戸枠１０と、この戸枠１０に建て付けられ下端保持具３０に下端側が回動自在に保持される戸パネル２５と、を備えている。つまり、本実施形態では、下端保持具３０の固定対象としての出入口５の一方の内側面を、縦枠１６の出入口５の間口方向（左右方向）中心側に向く内側面１７としている。
また、本実施形態では、戸装置１を、複数枚の戸パネル２１，２５を折り畳み展開自在に連結した折戸２０を備えた折戸装置１としている。本実施形態では、折戸装置１を、軸支側に設けられ、下端保持具３０に下端側が回動自在に保持される軸支側戸パネル２５と、これに連結され戸先側に設けられる戸先側戸パネル２１と、を有した１組の折戸２０を備えた構成としている。
【００１４】
戸枠１０は、住居等の建物の壁体２に設けられた開口部３を区画する枠下地に沿って固定される。開口部３の間口方向両内側面を構成する枠下地としては、間柱等の柱材や、飼木（スペーサー材）等としてもよく、その他、種々の躯体を構成する部材等としてもよい。また、開口部３の天面を構成する枠下地としては、横桟やまぐさ等の横架材、飼木（スペーサー材）等としてもよい。また、開口部３（出入口５）の下側は、床材または床下地によって区画してもよい。
この戸枠１０は、図４に示すように、出入口５の間口方向両側を区画するように設けられる一対の縦枠１４，１６と、出入口５の上側を区画するように設けられる上枠１１と、を備えている。つまり、戸枠１０は、下枠を備えていない、いわゆる三方枠とされている。図例では、出入口５の下側を、床面４によって区画した例を示している（図３も参照）。
【００１５】
上枠１１は、出入口５の開口幅方向に沿って長尺の略帯板状とされている。
また、この上枠１１には、折戸２０の戸先側戸パネル２１を吊り下げ支持する上レール１２が設けられている。このような上レール１２としては、縦断面形状が下方に向けて開口する略コ字状（略Ｕ字状または略Ｃ字状）とされたものとしてもよい。また、上レール１２を、戸先側戸パネル２１の上端部に設けられたランナー部材２２のローラー等を当該上レール１２の長手方向に沿って転動自在に支持する構成とされたものとしてもよい。また、上枠１１に、上レール１２を受け入れる凹溝を設けるようにしてもよい。
【００１６】
また、この上枠１１（上レール１２）には、軸支側戸パネル２５の上端側を回動自在に保持する軸支部１３が設けられている。この軸支部１３としては、軸支側戸パネル２５の上端側に設けられた係合部２６に対して上下に係合する構成とされたものとしてもよい。例えば、軸支部１３を、上方に向けて開口する係合部としての軸受穴状の係合凹部２６に嵌め入れられる軸部としてもよく、または、上方に向けて突出する係合部としての軸状の係合凸部２６を受け入れる軸受部としてもよい。また、軸支部１３を、軸支側戸パネル２５の上端側を回動自在に吊下支持する構成とされたものとしてもよい。この場合は、上レール１２の長手方向に沿って移動不能とされ軸支側戸パネル２５の上端部に連結固定されたランナー部材を軸支部及び係合部として把握するようにしてもよい。
【００１７】
一対の縦枠１４，１６は、出入口５の上下方向に沿って長尺の略帯板状とされている。
これら一対の縦枠１４，１６のうちの戸先側に設けられた戸先側縦枠１４の間口方向中心側に向く内側面には、間口方向中心側に向けて突出し、上下方向に延びるように設けられた戸当り部１５が設けられている。
また、これら一対の縦枠１４，１６のうちの軸支側に設けられた軸支側縦枠１６の間口方向中心側に向く内側面１７には、戸先側と同様、間口方向中心側に向けて突出し、上下方向に延びるように設けられた戸当り部１８が設けられている。
図例では、これら戸当り部１５，１８を、各縦枠１４，１６の見込方向（前後方向）略中央部に設けた例を示している。
【００１８】
軸支側縦枠１６の受入凹所１９は、間口方向中心に向けて開口するように設けられている。この受入凹所１９は、軸支側縦枠１６の下端部に設けられている。
この受入凹所１９は、後記する下端保持具３０の固定部材３１に応じた形状とされている。本実施形態では、この受入凹所１９を、内側面１７に対面視して（枠厚さ方向に見て）略方形状としている。また、この受入凹所１９の深さ寸法（枠厚さ方向に沿う寸法）は、固定部材３１が内側面１７から突出しない寸法とされている。本実施形態では、この受入凹所１９の深さ寸法を、固定部材３１の厚さ寸法と略同寸法としている。つまり、固定部材３１を受入凹所１９に嵌め入れた状態で、固定部材３１の表面と内側面１７とが略同一平面状となる構成としている。また、この受入凹所１９は、下端側の開口縁が床面４と略同高さとなるように設けられている。また、本実施形態では、この受入凹所１９を、戸当り部１８よりも見込方向一方側となる前方側に設けた構成としている。
【００１９】
なお、これら一対の縦枠１４，１６の下端部は、床面４を構成する床材上に載置される構成としてもよいが、図例では、これら縦枠１４，１６の下端部を、床材に埋め込むように配した構成としている（図３参照）。
また、折戸（建具）２０の構成等に応じて、戸先側縦枠１４にラッチ受（ストライク）や錠受等を設けてもよい。
また、図例では、戸枠１０を、固定枠とした例を示しているが、見込方向両側に額縁を備えたいわゆるケーシング枠としてもよい。
また、図例では、上枠１１の上側に垂れ壁を設けたような構成とした例を示しているが、上枠１１を、天井に沿わせるように設けたり、天井に埋め込むように設けたりしてもよい。また、上枠１１に上レール１２を設けた態様に代えて、上レール１２自体を直接的に上枠下地等に固定したり、天井に埋め込むように設けたりしてもよい。
【００２０】
折戸２０は、図４（ｂ）に示すように、二枚の戸パネル２１，２５を展開した状態で出入口５を閉鎖する一方、戸パネル２１，２５を折畳んだ状態で出入口５を開放する構成とされている。
本実施形態では、折戸２０を、戸先側戸パネル２１の戸幅寸法を軸支側戸パネル２５の戸幅寸法よりも大きい寸法としたいわゆる親子扉型としている。また、本実施形態では、これら戸パネル２１，２５の連結側端部同士を、上下一対の連結部材２４，２４によって折り畳み展開自在に連結した構成としている。これら上下の連結部材２４，２４は、各戸パネル２１，２５の上端及び下端における互いの連結側端部に跨るように設けられ、これら上下の連結部材２４，２４に対して各戸パネル２１，２５が上下方向に沿う軸（垂直軸）廻りに回動自在とされている。なお、これら戸パネル２１，２５同士を折り畳み展開自在に連結する態様としては、このような上下一対の連結部材２４，２４に限られず、蝶番等としてもよい。
【００２１】
戸先側戸パネル２１の上端部には、上記した上レール１２に案内支持されるランナー部材２２が連結固定されている。このランナー部材２２は、折り畳み支点となる連結部材２４からの戸幅方向に沿う寸法が、連結部材２４から軸支側戸パネル２５の回動支点となる軸支部１３（４５）までの戸幅方向に沿う寸法と略同寸法となるように、戸先側戸パネル２１の戸幅方向途中部位に設けられている。また、このランナー部材２２は、戸先側戸パネル２１に対して上下方向に沿う軸廻りに回動自在に連結されている。このような構成により、戸先側戸パネル２１は、当該折戸２０の折り畳み及び展開を伴い、ランナー部材２２の軸廻りに回動しながら上レール１２に沿って移動する構成とされている。
また、この戸先側戸パネル２１には、当該折戸２０を開閉する際に手掛けされるハンドル部２３が設けられている。
【００２２】
軸支側戸パネル２５の上端部には、上記した上枠１１（上レール１２）に設けられた軸支部１３に係合する係合部２６が設けられている。この係合部２６は、軸支側戸パネル２５の戸幅方向における反折り畳み支点側となる軸支側端部の上端部に設けられている。
また、軸支側戸パネル２５の下端部には、下端保持具３０に設けられた軸支部４５に係合する係合部２７が設けられている。本実施形態では、この係合部２７を、図３に示すように、下方に向けて開口する軸受穴状の係合凹部２７としている。この係合凹部２７は、上端部に設けられた係合部２６と上下方向に見て互いに重なり合うように同軸状に設けられ、平面視して略円形状とされている。このような構成により、軸支側戸パネル２５は、当該折戸２０の折り畳み及び展開を伴い、その軸支側端部の軸１３，４５廻りに回動する構成とされている。
【００２３】
下端保持具３０は、図１〜図３に示すように、固定部材３１の裏面側に、保持具本体３５に設けられた係合片部３６を上下方向及び見込方向のうちのいずれか一方向にスライド自在に受け入れるスライド凹所３２を設けた構造とされている。また、下端保持具３０は、保持具本体３５の係合片部３６が固定部材３１に対して上記一方向に沿って位置調整可能に固定される構造とされている。また、本実施形態では、固定部材３１に、当該固定部材３１を受入凹所１９に固定する第１止具６が挿通される第１挿通孔３３と、保持具本体３５の係合片部３６を当該固定部材３１に対して固定する第２止具７が挿通される一方向に長径の第２挿通孔３４と、を設けた構成としている。また、本実施形態では、上記一方向を、上下方向としている。
また、本実施形態では、保持具本体３５を、係合片部３６の下端から間口方向に突出するように設けられた支持片部３８に対して間口方向に沿って位置調整可能に固定される、軸支部４５を有した軸支部材４１を備えた構成としている。また、本実施形態では、これら軸支部材４１、保持具本体３５及び固定部材３１を、見込方向中心線を対称軸として略線対称状としている。
【００２４】
保持具本体３５の係合片部３６は、間口方向と同方向となる軸支側縦枠１６の厚さ方向に厚さ方向を沿わせて配される薄板状とされている。本実施形態では、この係合片部３６を、上端側に見込方向に延びるように長尺状とされた上端片部３６ａと、この上端片部３６ａと支持片部３８とを連結するように上下方向に延びるように長尺状とされた連結片部３６ｂと、を備えた構成としている。また、これら上端片部３６ａと連結片部３６ｂとからなる係合片部３６を、厚さ方向に見て、略Ｔ字状とした例を示している。また、図例では、上端片部３６ａの見込方向中央部位から下方側に延びるように連結片部３６ｂを設けた例を示している。
【００２５】
また、本実施形態では、この係合片部３６に、固定部材３１に対して当該係合片部３６を固定する第２止具７の止着部３７を設けている。本実施形態では、止着部３７を、第２止具７が捩じ込まれる雌ねじ部３７としている。図例では、この雌ねじ部３７を、係合片部３６を厚さ方向に貫通する雌ねじ孔としている。また、雌ねじ部３７を、係合片部３６の複数箇所に設けている。図例では、上端片部３６ａの見込方向両端部のそれぞれに雌ねじ部３７，３７を設け、連結片部３６ｂの上下方向途中部位に雌ねじ部３７を設けた構成としている。なお、止着部３７としては、雌ねじ部３７に限られず、第２止具７が捩じ込まれる下穴状の止具穴等としてもよい。
【００２６】
保持具本体３５の支持片部３８は、係合片部３６の連結片部３６ｂの下端部から間口方向中心側に向けて突出するように設けられている。本実施形態では、連結片部３６ｂの下端部に、当該係合片部３６を間口方向に屈曲させるような形状とされた屈曲部３６ｃを連なるように設け、この屈曲部３６ｃに連なるように支持片部３８を設けた構成としている。
この支持片部３８は、厚さ方向を上下方向に沿わせて配される薄板状とされている。図例では、係合片部３６の厚さ寸法と支持片部３８の厚さ寸法とを互いに略同寸法とした例を示しているが、異なる寸法としてもよい。
【００２７】
また、本実施形態では、これら係合片部３６と支持片部３８とからなる保持具本体３５を、見込方向に見て、略Ｌ字状としている。また、この支持片部３８の見込方向に沿う寸法を、係合片部３６（本実施形態では、上端片部３６ａ）の見込方向に沿う寸法よりも大きい寸法としている。また、この支持片部３８の見込方向に沿う寸法を、固定部材３１の見込方向に沿う寸法と略同寸法としている。図例では、この支持片部３８の見込方向略中心部から立ち上がるように係合片部３６を設けた例を示している。また、この支持片部３８の間口方向に沿う寸法を、固定部材３１の上下方向に沿う寸法と略同寸法としている。なお、支持片部３８の見込方向及び間口方向に沿う寸法は、軸支部材４１の載置が可能なように適宜の寸法としてもよい。また、図例では、支持片部３８の間口方向中央側部位を、厚さ方向に見て、間口方向中心側に突出するような突湾曲面形状（略半円形状）とした例を示しているが、このような形状に限られず、他の形状としてもよい。
【００２８】
また、本実施形態では、この支持片部３８に、当該支持片部３８に対して軸支部材４１を固定する第３止具８の止着部４０を設けている。本実施形態では、この止着部４０を、上記同様、第３止具８が捩じ込まれる雌ねじ部４０とし、図例では、この雌ねじ部４０を、支持片部３８を厚さ方向に貫通する雌ねじ孔としている。また、雌ねじ部４０を、支持片部３８の複数箇所に設けている。図例では、支持片部３８の見込方向略中心から見込方向両側に等間隔を空けた二箇所に雌ねじ部４０，４０を設けた例を示している。なお、止着部４０としては、上記同様、雌ねじ部４０に限られず、第３止具８が捩じ込まれる下穴状の止具穴等としてもよい。
【００２９】
また、本実施形態では、支持片部３８及び軸支部材４１のそれぞれに、互いに係合し、支持片部３８に対する軸支部材４１の間口方向に沿う方向への位置調整の際のガイドとなるガイド係合部３９，４３を設けている。このような構成とすれば、支持片部３８に対して軸支部材４１を固定する際における作業性を向上させることができる。
本実施形態では、軸支部材４１の下面側に下方側に向けて突出するように係合凸部４３を設け、支持片部３８にこの係合凸部４３を間口方向に沿って移動自在に受け入れる係合凹部３９を設けた構成としている。図例では、係合凹部３９を、間口方向に長径で支持片部３８を厚さ方向に貫通する係合長孔３９とした例を示している。また、この係合長孔３９を、雌ねじ部４０，４０間に設けた例を示している。この係合長孔３９の間口方向に沿う寸法は、支持片部３８に対する軸支部材４１（軸支部４５）の間口方向への所望する位置調整の度合等に応じて、適宜、設定するようにしてもよい。なお、上記のような態様に代えて、支持片部３８の上面側に上方側に向けて突出するように係合凸部を設け、軸支部材４１にこの係合凸部を間口方向に沿って移動自在に受け入れる係合凹部を設けた構成等としてもよい。さらには、このようなガイド係合部３９，４３を設けないようにしてもよい。
【００３０】
軸支部材４１には、当該軸支部材４１を支持片部３８に固定する第３止具８が挿通される挿通孔４４と軸支部４５とが設けられている。本実施形態では、軸支部４５を、支持片部３８の上面側から上方に向けて突出するように設けられる軸部４５としている。この軸部４５は、軸方向を上下方向に沿わせた略円柱形状とされ、軸支側戸パネル２５の下端部に設けられた係合凹部２７に差し込まれる構成とされている。また、この軸部４５の上下寸法は、軸支側戸パネル２５を支持する場合には、係合凹部２７の上下方向に沿う寸法よりも大きい寸法としてもよい。
また、軸支部材４１は、この軸部４５の基端側に厚さ方向を上下方向に沿わせて配される薄板状の固定部４２を設けた構成としている。この固定部４２は、厚さ方向に見て見込方向に長尺な略矩形状とされており、その中心に軸部４５を設けた構成とされている。
【００３１】
また、この固定部４２における軸部４５の見込方向両側のそれぞれに、挿通孔４４，４４を設けた構成としている。本実施形態では、これら挿通孔４４，４４を、間口方向に長径の長孔とし、当該軸支部材４１が支持片部３８に対して間口方向に沿って位置調整可能に固定される構成としている。これら挿通孔４４，４４の間口方向に沿う寸法は、上記同様、支持片部３８に対する軸支部材４１（軸部４５）の間口方向への所望する位置調整の度合等に応じて、適宜、設定するようにしてもよい。なお、これら挿通孔４４，４４を、第３止具８の頭部を受け入れるざぐり状の凹所を設けた形状としてもよい。また、上記のような態様に代えて、例えば、支持片部３８側に長孔を設け、軸支部材４１側に止着部を設けたような態様としてもよい。
また、軸支部材４１の軸部４５の下面側に、上記したガイド係合部を構成する係合凸部４３を設けた構成としている。図例では、この係合凸部４３を、軸部４５と略同軸状となるように設けた例を示している。
【００３２】
固定部材３１は、間口方向と同方向となる軸支側縦枠１６の厚さ方向に厚さ方向を沿わせて配される板状とされている。本実施形態では、固定部材３１を、厚さ方向に見て、略方形状としている。上記した軸支側縦枠１６の受入凹所１９の上下及び見込方向に沿う寸法は、この固定部材３１の上下及び見込方向に沿う寸法と略同寸法とされている。つまり、この固定部材３１の裏面を受入凹所１９の間口方向中心側に向く凹底面に当接させた状態では、固定部材３１のスライド凹所３２が設けられた部位を除く外周面が受入凹所１９の内周面に略全周に亘って当接または近接対面される構成とされている。
【００３３】
スライド凹所３２は、保持具本体３５の係合片部３６を上下方向にスライド自在に受け入れる構成とされている。このスライド凹所３２は、保持具本体３５の係合片部３６を受け入れ可能なように、固定部材３１の厚さ方向一方側となる軸支側縦枠１６側及び下方側に向けて開口するように設けられている。また、本実施形態では、スライド凹所３２を、保持具本体３５の支持片部３８の下面と固定部材３１の下端面とが略同一平面状とされた位置を保持具本体３５の下限位置とし、この下限位置よりも上方向に移動可能に係合片部３６を受け入れる構成としている（図３参照）。
また、本実施形態では、スライド凹所３２を、保持具本体３５の係合片部３６を受け入れた状態で係合片部３６が固定部材３１の裏面から突出しないように設けている。本実施形態では、スライド凹所３２（後記する上側凹所３２ａ及び下側凹所３２ｂ）の深さ寸法（固定部材３１の厚さ方向に沿う寸法）を、係合片部３６の厚さ寸法と略同寸法とした例を示している。つまり、スライド凹所３２に係合片部３６を受け入れさせた状態で係合片部３６の裏面と固定部材３１の裏面とが略同一平面状となる構成としている。つまりは、図３に示すように、保持具本体３５の係合片部３６をスライド凹所３２に受け入れさせた固定部材３１を受入凹所１９に嵌め込んだ状態では、スライド凹所３２及び受入凹所１９によって係合片部３６の間口方向への移動が抑止される構成とされている。
【００３４】
また、このスライド凹所３２は、保持具本体３５の係合片部３６を受け入れた状態で、固定部材３１に対する係合片部３６（保持具本体３５）の見込方向への移動を抑止するように形成されている。つまり、本実施形態では、保持具本体３５の係合片部３６をスライド凹所３２に受け入れさせた固定部材３１を受入凹所１９に嵌め込んだ状態では、固定部材３１（受入凹所１９）に対する係合片部３６（保持具本体３５）の見込方向及び間口方向への移動が抑止される構成とされている。
また、このスライド凹所３２は、係合片部３６に対応させて、係合片部３６の上端片部３６ａを上下動自在に受け入れる上側凹所３２ａの下方側に、係合片部３６の連結片部３６ｂを上下動自在に受け入れる下側凹所３２ｂを連なるように設けた構成としている。つまり、これら上側凹所３２ａと下側凹所３２ｂとからなるスライド凹所３２を、固定部材３１の厚さ方向に見て、略Ｔ字状とした例を示している。
【００３５】
上側凹所３２ａの見込方向に沿う寸法は、係合片部３６の上端片部３６ａの見込方向への移動を抑止するように、係合片部３６の上端片部３６ａの見込方向に沿う寸法と略同寸法とされている。また、この上側凹所３２ａの上下方向に沿う寸法は、係合片部３６の上端片部３６ａの上下方向への移動が可能となるように、係合片部３６の上端片部３６ａの上下方向に沿う寸法よりも大きい寸法とされている。この上側凹所３２ａの上下方向に沿う寸法は、固定部材３１に対する保持具本体３５（軸部４５）の上下方向への所望する位置調整の度合等に応じて、適宜、設定するようにしてもよい。
下側凹所３２ｂの見込方向に沿う寸法は、係合片部３６の連結片部３６ｂの見込方向への移動を抑止するように、係合片部３６の連結片部３６ｂの見込方向に沿う寸法と略同寸法とされている。この下側凹所３２ｂは、下方側に向けて開口するように設けられている。
【００３６】
また、本実施形態では、スライド凹所３２に、係合片部３６の下端部に設けられた屈曲部３６ｃを上下動自在に受け入れる切欠状凹所３２ｃを設けた構成としている。この切欠状凹所３２ｃは、固定部材３１を厚さ方向に貫通しかつ下方側に向けて開口するように設けられている。また、この切欠状凹所３２ｃは、下側凹所３２ｂに連なるように設けられている。
この切欠状凹所３２ｃの見込方向に沿う寸法は、係合片部３６の屈曲部３６ｃの見込方向への移動を抑止するように、係合片部３６の屈曲部３６ｃの見込方向に沿う寸法と略同寸法とされている。この切欠状凹所３２ｃの上下方向に沿う寸法は、上記同様、固定部材３１に対する保持具本体３５（軸部４５）の上下方向への所望する位置調整の度合等に応じて、適宜、設定するようにしてもよい。図例では、切欠状凹所３２ｃの上下方向に沿う寸法を、固定部材３１に対する保持具本体３５の上下方向への位置調整の度合に比して大きい寸法とした例を示しているが、このような態様に限られない。
【００３７】
当該固定部材３１を受入凹所１９に固定する第１止具６が挿通される第１挿通孔３３は、固定部材３１を厚さ方向に貫通するように設けられている。本実施形態では、固定部材３１の複数箇所（図例では、４箇所）に第１挿通孔３３を設けた構成としている。図例では、固定部材３１の四隅のそれぞれに第１挿通孔３３を設けた例を示している。また、図例では、これら第１挿通孔３３を、第１止具６の頭部を受け入れるざぐり状の凹所を設けた形状としている。
【００３８】
当該固定部材３１に対して保持具本体３５の係合片部３６を固定する第２止具７が挿通される第２挿通孔３４は、本実施形態では、上下方向に長径とされている。この第２挿通孔３４の上下方向に沿う寸法は、上記同様、固定部材３１に対する保持具本体３５（軸部４５）の上下方向への所望する位置調整の度合等に応じて、適宜、設定するようにしてもよい。
また、この第２挿通孔３４は、保持具本体３５の係合片部３６に設けられた止着部としての雌ねじ部３７に応じた位置となるように、固定部材３１のスライド凹所３２が設けられた部位を厚さ方向に貫通するように設けられている。つまり、本実施形態では、スライド凹所３２の上側凹所３２ａが設けられた部位の見込方向両端部のそれぞれに第２挿通孔３４，３４を設け、下側凹所３２ｂが設けられた部位に第２挿通孔３４を設けた構成としている。また、図例では、これら第２挿通孔３４を、第２止具７の頭部を受け入れるざぐり状の凹所を設けた形状としている。
なお、下端保持具３０は、金属系材料や硬質の合成樹脂系材料から形成されたものとしてもよい。
【００３９】
上記構成とされた下端保持具３０は、例えば、以下のようにして出入口５の一方の内側面１７に固定するようにしてもよい。
まず、保持具本体３５の係合片部３６をスライド凹所３２に受け入れさせた状態で、固定部材３１を内側面１７の受入凹所１９に嵌め込むようにして第１止具６によって固定する。この際、固定部材３１に対して保持具本体３５の係合片部３６を第２止具７によって仮止めしておくようにしてもよい。また、この際、保持具本体３５の支持片部３８に対して軸支部材４１を第３止具８によって仮止めしておくようにしてもよい。
そして、折戸２０が適正な建て付け状態となるように、適宜、保持具本体３５の係合片部３６を固定部材３１に対して上下方向に位置調整して本固定し、軸支部材４１を支持片部３８に対して間口方向に位置調整して本固定するようにしてもよい。例えば、折戸２０の下端が床面４に擦るような場合には、保持具本体３５の係合片部３６を固定部材３１に対して上方向に移動させて本固定するようにしてもよい。また、例えば、戸先側戸パネル２１が他方の内側面を構成する戸先側縦枠１４に干渉するような場合には、軸支部材４１を支持片部３８に対して軸支側縦枠１６側に移動させて本固定するようにしてもよい。また、この際、適宜、折戸２０を取り外した状態で位置調整して本固定するようにしてもよい。
【００４０】
なお、図３（ａ）では、固定部材３１に対して、保持具本体３５の係合片部３６を下限位置において固定した例を示している。また、この下限位置において、固定部材３１の第２挿通孔３４の下端縁部位に第２止具７の頭部が位置する構成とした例を示している。また、この下限位置において、係合片部３６の上端片部３６ａの下端面がスライド凹所３２の上側凹所３２ａの下端縁に当接する構成とした例を示している。
また、図３（ａ）では、保持具本体３５の支持片部３８に対して、軸支部材４１を係合片部３６から最も離反させた位置（最離反位置）において固定した例を示している。また、この最離反位置において、軸支部材４１の挿通孔４４の係合片部３６側の縁部位に第３止具８の頭部が位置し、支持片部３８の係合長孔３９の間口方向中心側（反係合片部側）の縁部位に軸支部材４１の係合凸部４３が位置する構成とした例を示している。
【００４１】
また、図３（ｂ）では、固定部材３１に対して、保持具本体３５の係合片部３６を上限位置において固定した例を示している。また、この上限位置において、固定部材３１の第２挿通孔３４の上端縁部位に第２止具７の頭部が位置する構成とした例を示している。また、この上限位置において、係合片部３６の上端片部３６ａの上端面がスライド凹所３２の上側凹所３２ａの上端縁に当接する構成とした例を示している。
また、図３（ｂ）では、保持具本体３５の支持片部３８に対して、軸支部材４１を係合片部３６に最も近接させた位置（最近接位置）において固定した例を示している。また、この最近接位置において、軸支部材４１の挿通孔４４の間口方向中心側の縁部位に第３止具８の頭部が位置し、支持片部３８の係合長孔３９の係合片部３６側の縁部位に軸支部材４１の係合凸部４３が位置する構成とした例を示している。
【００４２】
本実施形態に係る下端保持具３０及びこれを備えた戸装置１は、上述のような構成としたことで、出入口５の一方の内側面１７に対する軸支部４５の上下方向及び見込方向のうちのいずれか一方向への位置調整が可能でありながらも、見栄え良く固定することができる。
つまり、下端保持具３０を、出入口５の一方の内側面１７に設けられた受入凹所１９に嵌め込まれるように固定される平板状の固定部材３１を備えた構成としている。また、この固定部材３１の裏面側に、戸パネル２５の下端側を回動自在に保持する軸支部４５を有した保持具本体３５の係合片部３６を上下方向及び見込方向のうちのいずれか一方向にスライド自在に受け入れるスライド凹所３２を設けた構成としている。従って、出入口５の内側面１７の受入凹所１９に固定される固定部材３１が内側面１７から突出し難く、見栄え良く固定することができる。また、これにより、出入口５の内側面１７と戸パネル２５との隙間を小さくすることも可能となる。また、固定部材３１のスライド凹所３２に一方向にスライド自在に受け入れられる係合片部３６が固定部材３１に対して一方向に沿って位置調整可能に固定される構造とされている。従って、内側面１７に対する固定部材３１の位置調整を可能とすべく受入凹所１９を大きくする必要がなく、軸支部４５を有した保持具本体３５の一方向への位置調整が可能でありながらも、下端保持具３０の固定部材３１を受入凹所１９に見栄え良く納めて固定することができる。
また、戸パネル２５の下端側を回動自在に保持する部材を床側に固定し難いような場合にも、当該下端保持具３０を出入口５の一方の内側面１７に固定することができる。
【００４３】
また、本実施形態では、一方向を上下方向としている。従って、軸支部４５を有した保持具本体３５を、固定部材３１に対して上下方向に位置調整可能に固定することができる。これにより、保持具本体３５の軸支部４５とこれに対して上下方向に係合する戸パネル２５側に設けられた係合部２７との係合の過不足がないように調整することができる。
【００４４】
また、本実施形態では、固定部材３１に、当該固定部材３１を受入凹所１９に固定する第１止具６が挿通される第１挿通孔３３と、保持具本体３５の係合片部３６を当該固定部材３１に対して固定する第２止具７が挿通される一方向に長径の第２挿通孔３４と、を設けた構成としている。従って、受入凹所１９に対して固定された固定部材３１に対して、保持具本体３５を一方向に位置調整し、固定することができる。これにより、例えば、受入凹所に非固定とされた固定部材に対して保持具本体を一方向に位置調整し、固定部材を保持具本体の係合片部とともに、受入凹所に固定する必要があるようなものと比べて、施工性を向上させることができる。
また、本実施形態では、係合片部３６に、固定部材３１に対して当該係合片部３６を固定する第２止具７の止着部としての雌ねじ部３７を設けている。従って、固定部材３１に対して保持具本体３５の係合片部３６を第２止具７によって仮止めすることができ、施工性を向上させることができる。また、例えば、係合片部３６の止着部を下穴状の止具穴とした場合には、再度の位置調整や再利用がし難くなるが、上記構成によれば、再度の位置調整や再利用が可能となる。
【００４５】
また、本実施形態では、保持具本体３５を、係合片部３６の下端から間口方向に突出するように設けられた支持片部３８に対して間口方向に沿って位置調整可能に固定される軸支部４５を有した軸支部材４１を備えた構成としている。従って、保持具本体３５の支持片部３８に対する軸支部材４１の間口方向の固定位置を調整することができる。これにより、当該下端保持具３０の軸支部４５を、出入口５の内側面１７に対して、上記一方向に加え、間口方向にも位置調整することができる。
また、本実施形態では、支持片部３８に、当該支持片部３８に対して軸支部材４１を固定する第３止具８の止着部としての雌ねじ部４０を設け、軸支部材４１に、第３止具８が挿通される間口方向に長径の挿通孔４４を設けた構成としている。従って、保持具本体３５の支持片部３８に対して軸支部材４１を第３止具８によって仮止めすることができ、施工性を向上させることができる。また、上記同様、例えば、支持片部３８の止着部を下穴状の止具穴とした場合には、再度の位置調整や再利用がし難くなるが、上記構成によれば、再度の位置調整や再利用が可能となる。
なお、上記のような態様に代えて、支持片部３８に対して見込方向に沿って位置調整可能に固定される軸支部４５を有した軸支部材４１を備えた構成としてもよい。この場合は、軸支部材４１に、見込方向に長径の挿通孔４４を設けた構成としてもよい。
【００４６】
次に、本発明の他の実施形態に係る下端保持具の一例について図面を参照して説明する。
図５は、第２実施形態に係る下端保持具を模式的に示す図である。
なお、上記した第１実施形態との相違点について主に説明し、同様の構成については、同一符号を付し、その説明を省略または簡略に説明する。また、図示は省略しているが、本実施形態に係る下端保持具も上記第１実施形態と同様、戸装置１に組み込み可能である。
【００４７】
本実施形態に係る下端保持具３０Ａは、図５に示すように、固定部材３１Ａのスライド凹所３２Ａ及びこれに受け入れられる保持具本体３５Ａの係合片部３６Ａの構成が、上記第１実施形態とは主に異なる。
本実施形態では、係合片部３６Ａを、略Ｔ字状とせずに、厚さ方向に見て、上下方向に長尺な略矩形状としている。また、スライド凹所３２Ａを、この係合片部３６Ａの上側部位を上下方向にスライド自在に受け入れる上下方向に長尺な溝状凹所３２ｄを設けた構成としている。このような構成とすれば、構造の簡略化を図ることができる。また、本実施形態では、係合片部３６Ａに単一の止着部としての雌ねじ部３７を設け、固定部材３１Ａに単一の第２挿通孔３４を設けた構成としている。このような構成とすれば、構造の簡略化を図ることができる。
【００４８】
また、本実施形態では、保持具本体３５Ａに、軸支部４５Ａを固定的に設けた構成としている。このような構成とすれば、構造の簡略化を図ることができる。つまり、本実施形態では、保持具本体３５Ａの支持片部３８Ａに対して間口方向に位置調整不能に軸支部４５Ａを設けた構成としている。この軸支部４５Ａは、保持具本体３５Ａの支持片部３８Ａに一体的に設けるようにしてもよく、または、止具や溶接等によって保持具本体３５Ａの支持片部３８Ａに対して固定されたものとしてもよい。
上記構成とされた本実施形態に係る下端保持具３０Ａにおいても、上記した第１実施形態と概ね同様の効果を奏する。
【００４９】
なお、上記各実施形態において説明した互いに異なる構成を、適宜、必要に応じて変形し、組み替えて適用したり、組み合わせて適用したりするようにしてもよい。
また、上記各実施形態では、保持具本体３５，３５Ａの軸支部を、軸支側戸パネル２５の下端部に設けられた係合凹部２７に差し込まれる軸部４５，４５Ａとした例を示しているが、このような態様に限られない。保持具本体３５，３５Ａの軸支部４５，４５Ａを、軸支側戸パネル２５の下端部に設けられた軸状の係合部２７としての係合凸部を受け入れる軸受穴状の軸受部としてもよい。
また、上記各実施形態では、保持具本体３５，３５Ａの係合片部３６，３６Ａが固定部材３１，３１Ａに対して上下方向に沿って位置調整可能に固定される構造とした例を示しているが、このような態様に限られない。保持具本体３５，３５Ａの係合片部３６，３６Ａが固定部材３１，３１Ａに対して見込方向に沿って位置調整可能に固定される構造としてもよい。この場合は、固定部材３１，３１Ａのスライド凹所３２，３２Ａや保持具本体３５，３５Ａの係合片部３６，３６Ａ等を適宜、必要に応じて変形するようにすればよい。
また、上記各実施形態では、固定部材３１，３１Ａに、第１挿通孔３３と第２挿通孔３４とを設けた構成としているが、このような態様に限られない。例えば、固定部材を受入凹所に固定する止具と保持具本体の係合片部を固定部材に固定する止具とを共通の止具としたような態様としてもよい。
【００５０】
また、上記した例では、下端保持具３０，３０Ａの固定部材３１，３１Ａの固定対象を、軸支側縦枠１６の内側面１７に設けられた受入凹所１９とした例を示しているが、このような態様に限られない。例えば、無枠状に仕上げられた出入口５の内側面に設けられた受入凹所を、下端保持具３０，３０Ａの固定部材３１，３１Ａの固定対象としてもよい。
また、上記した例では、出入口５に、１組の折戸２０を設けた例を示しているが、複数組の折戸を設けた構成としてもよい。この場合は、出入口５の両内側面のそれぞれに、下端保持具３０，３０Ａを設けるようにしてもよい。
また、上記した例では、親子扉型の折戸２０を例示しているが、このような態様に代えて、各戸パネル２１，２５の戸幅寸法が互いに略同寸法とされた折戸２０としてもよい。
また、上記した例では、下端保持具３０，３０Ａによって下端側が回動自在に保持される戸パネルを、折戸２０の軸支側戸パネル２５とした例を示しているが、このような態様に代えて、開き戸パネルとしてもよい。
【符号の説明】
【００５１】
１            折戸装置（戸装置）
１０          戸枠
１６          軸支側縦枠（縦枠）
１７          一方の内側面
１９          受入凹所
２５          軸支側戸パネル（戸パネル）
３０，３０Ａ  下端保持具
３１，３１Ａ  固定部材
３２，３２Ａ  スライド凹所
３３          第１挿通孔
３４          第２挿通孔
３５，３５Ａ  保持具本体
３６，３６Ａ  係合片部
３８，３８Ａ  支持片部
４１          軸支部材
４５，４５Ａ  軸部（軸支部）
５            出入口
６            第１止具（固定部材を受入凹所に固定する止具）
７            第２止具（係合片部を固定部材に固定する止具）
【図１】
2018112066.tif 000003
【図２】
2018112066.tif 000004
【図３】
2018112066.tif 000005
【図４】
2018112066.tif 000006
【図５】
2018112066.tif 000007